(57)【要約】無線装置上で作動可能な装置、方法、コンピュータ可読メディアおよびプロセッサは、無線装置上のビデオ呼を管理することができる。ビデオ呼管理方法は、無線装置上で作動可能なビデオ呼管理アプリケーションを含むことができる。ビデオ呼管理アプリケーションは、ビデオ呼を処理する方法を決定するために受信されるビデオ呼に適用されることができるフィルタリングパラメータを用いて構成されることができる。フィルタリングすることに基づいてビデオ呼は、任意の数の所定の方法および／またはユーザ定義された方法で処理されることができる。さらに、着信するビデオ呼に関係する情報は、ユーザによって見ることができる呼ログ内に格納されることができる。
2009528725.tif 000002
【特許請求の範囲】
【請求項１】
無線通信装置上のビデオ呼を管理するための方法であって、
着信するビデオ呼を受信することと、
所定のフィルタリングパラメータに基づいて前記ビデオ呼をフィルタリングすることと、
前記フィルタリングすることに基づいた所定のビデオ呼の処理オプションにより前記着信するビデオ呼を処理することと
を備える方法。
【請求項２】
前記ビデオ呼をフィルタリングすることは、
現在の時間を決定することと、
前記現在の時間が所定の時間パラメータ内に入るかどうかを決定することと
をさらに備える、請求項１に記載の方法。
【請求項３】
前記現在の時間および前記所定の時間パラメータのうちの少なくとも１つは、分、時、日、月および年のうちの少なくとも１つを備える、請求項２に記載の方法。
【請求項４】
前記ビデオ呼をフィルタリングすることは、
現在の地理的場所を決定することと、
前記現在の地理的場所が所定の場所パラメータ内に入るかどうかを決定することと
をさらに備える、請求項１に記載の方法。
【請求項５】
前記ビデオ呼をフィルタリングすることは、
前記ビデオ呼の発信者に対応する発信者データを決定することと、
前記発信者データが所定の発信者識別番号に一致するかどうか決定することと
をさらに備える、請求項１に記載の方法。
【請求項６】
前記ビデオ呼を処理することは、前記ビデオ呼に関連した音声データだけを生成すること、前記ビデオ呼に関連した画像データだけを生成すること、および前記ビデオ呼に応答して所定のフィードバックメッセージを送信することのうちの少なくとも１つをさらに備える、請求項１に記載の方法。
【請求項７】
前記ビデオ呼を処理することは、前記ビデオ呼を受け入れること、前記ビデオ呼の前記無線装置のユーザへの通知と共に前記ビデオ呼を拒否すること、および前記ビデオ呼をブロックすることのうちの少なくとも１つをさらに備える、請求項１に記載の方法。
【請求項８】
前記ビデオ呼を処理することは、複数の所定のメールボックスメッセージのうちの選択された１つを生成するように作動可能なメールボックスに前記ビデオ呼を転送することをさらに備える、請求項１に記載の方法。
【請求項９】
前記ビデオ呼をフィルタリングすることは、場所パラメータ、時間パラメータ、および発信者パラメータから成るグループから選択された少なくとも１つのフィルタリングパラメータに基づいてフィルタリングすることをさらに備え、前記複数の所定のメールボックスメッセージのうちの前記選択された１つは、前記フィルタリングパラメータおよび前記所定のビデオ呼の処理オプションのうちの少なくとも１つに基づいている、請求項８に記載の方法。
【請求項１０】
前記ビデオ呼に関連したビデオ呼の情報を格納することをさらに備える、請求項１に記載の方法。
【請求項１１】
前記着信するビデオ呼を処理することは、前記着信するビデオ呼の発信者を所定の送信先に転送するように作動可能なメッセージを送信することを備える、請求項１に記載の方法。
【請求項１２】
実行されるとき、コンピュータ装置に
着信するビデオ呼を受信する前記動作と、
所定のフィルタリングパラメータに基づいて前記ビデオ呼をフィルタリングする前記動作と、
所定のフィルタリングパラメータに基づいた所定のビデオ呼の処理オプションにより前記着信するビデオ呼を処理する前記動作と
を実行させる一連の命令を明白に格納するコンピュータ可読メディア。
【請求項１３】
着信するビデオ呼を受信する前記動作と、
所定のフィルタリングパラメータに基づいて前記ビデオ呼をフィルタリングする前記動作と、
所定のフィルタリングパラメータに基づいた所定のビデオ呼の処理オプションにより前記着信するビデオ呼を処理する前記動作と
を実行するように構成された少なくとも１つのプロセッサ。
【請求項１４】
無線装置によって受信されるビデオ呼を管理するための装置であって、
着信するビデオ呼を受信するための手段と、
所定のフィルタリングパラメータに基づいて前記ビデオ呼をフィルタリングするための手段と、
所定のフィルタリングパラメータに基づいた所定のビデオ呼の処理オプションにより前記着信するビデオ呼を処理するための手段と
を備える装置。
【請求項１５】
ビデオ呼を管理するための装置であって、
コンピュータプラットフォームと、
前記コンピュータプラットフォーム上に配置され、ビデオ呼を受信するように構成された通信モジュールと、
前記コンピュータプラットフォーム上に配置され、前記通信モジュールから転送される前記ビデオ呼を受信するように構成されたビデオクライアントと、
フィルタリングパラメータおよび対応するビデオ呼の処理オプションを有する前記コンピュータプラットフォーム上のビデオ呼管理クライアントであって、前記フィルタリングパラメータを前記ビデオ呼に適用し、前記ビデオ呼の処理オプションにより前記ビデオ呼を処理するように作動可能な論理をさらに備えるビデオ呼管理クライアントと
を備える装置。
【請求項１６】
前記コンピュータプラットフォーム上に格納される現在の時間をさらに備え、前記フィルタリングパラメータは所定の時間パラメータをさらに備え、前記論理は前記現在の時間を前記所定の時間パラメータと比較し、前記比較に基づいて前記ビデオ呼の処理オプションを実行するようにさらに作動可能である、請求項１５に記載の装置。
【請求項１７】
前記現在の時間および前記所定の時間パラメータのうちの少なくとも１つは、分、時、日、月および年のうちの少なくとも１つを備える、請求項１６に記載の装置。
【請求項１８】
前記コンピュータプラットフォーム上に配置され、現在の地理的場所を有する場所決定モジュールをさらに備え、前記フィルタリングパラメータは所定の場所パラメータをさらに備え、前記論理は、前記現在の地理的場所を前記所定の場所パラメータと比較し、前記比較に基づいて前記ビデオ呼の処理オプションを実行するようにさらに作動可能である、請求項１５に記載の装置。
【請求項１９】
前記ビデオ呼は前記ビデオ呼の発信者に対応する発信者データをさらに備え、前記フィルタリングパラメータは所定の発信者識別番号をさらに備え、前記論理は、前記発信者データを前記所定の発信者識別番号と比較し、前記比較に基づいて前記ビデオ呼の処理オプションを実行するようにさらに作動可能である、請求項１５に記載の装置。
【請求項２０】
前記ビデオ呼の処理オプションは、前記ビデオ呼に関連した音声データだけを生成すること、前記ビデオ呼に関連した画像データだけを生成すること、および前記ビデオ呼に応答して所定のフィードバックメッセージを送信することのうちの少なくとも１つをさらに備える、請求項１５に記載の装置。
【請求項２１】
前記ビデオ呼の処理オプションは、前記ビデオ呼を受け入れること、前記ビデオ呼の前記無線装置のユーザへの通知と共に前記ビデオ呼を拒否すること、および前記ビデオ呼をブロックすることのうちの少なくとも１つをさらに備える、請求項１５に記載の装置。
【請求項２２】
前記ビデオ呼の処理オプションは、複数の所定のメールボックスメッセージのうちの選択された１つを生成するように作動可能なメールボックスに前記ビデオ呼を転送することをさらに備える、請求項１５に記載の装置。
【請求項２３】
前記フィルタリングパラメータは、場所パラメータ、時間パラメータおよび発信者パラメータのうちの少なくとも１つをさらに備え、前記複数の所定のメールボックスメッセージのうちの前記選択された１つが前記フィルタリングパラメータおよび前記所定のビデオ呼の処理オプションのうちの少なくとも１つに基づいている、請求項１５に記載の装置。
【請求項２４】
前記コンピュータプラットフォーム上に配置され、前記ビデオ呼に関連したビデオ呼の情報を有するメモリをさらに備える、請求項１５に記載の装置。
【請求項２５】
無線ネットワークから前記ビデオ呼を受信するように作動可能な通信モジュールを有する無線装置を備える、請求項１５に記載の装置。
【請求項２６】
前記無線装置は携帯電話を備え、前記無線ネットワークは携帯電話網を備える、請求項２５に記載の装置。
【請求項２７】
無線装置に対するビデオ呼を管理するための方法であって、
無線装置にビデオ呼管理クライアントを送信するという要求を受信することであって、前記ビデオ呼管理クライアントは所定のフィルタリングパラメータに基づいてビデオ呼に対して所定の動作をとるように作動可能である、要求を受信することと、
前記要求を検証することと、
前記検証することに基づいて前記ビデオ呼管理クライアントを前記無線装置に送信することと
を備える方法。
【請求項２８】
前記所定の動作は、前記ビデオ呼に関連した音声データだけを生成すること、前記ビデオ呼に関連した画像データだけを生成すること、および前記ビデオ呼に応答して所定のフィードバックメッセージを送信することのうちの少なくとも１つを備える、請求項２７に記載の方法。
【請求項２９】
前記所定のフィルタリングパラメータは、場所パラメータおよび時間パラメータのうちの少なくとも１つを備える、請求項２７に記載の方法。
【請求項３０】
前記要求を受信することは装置識別番号を受信することをさらに備え、前記要求を検証することは、認可された装置識別番号と前記装置識別番号の比較に基づいて前記要求を認可することをさらに備える、請求項２７に記載の方法。
【請求項３１】
実行されるとき、コンピュータ装置に
無線装置にビデオ呼管理クライアントを送信するという要求を受信することであって、前記ビデオ呼管理クライアントは、所定のフィルタリングパラメータに基づいてビデオ呼に対して所定の動作をとるように作動可能である、要求を受信する前記動作と、
前記要求を検証する前記動作と、
前記無線装置に前記ビデオ呼管理クライアントを送信する前記動作と
を実行させる一連の命令を明白に格納するコンピュータ可読メディア。
【請求項３２】
無線装置にビデオ呼管理クライアントを送信するという要求を受信することであって、前記ビデオ呼管理クライアントは、所定のフィルタリングパラメータに基づいてビデオ呼に対して所定の動作をとるように作動可能である、要求を受信する前記動作と、
前記要求を検証する前記動作と、
前記無線装置に前記ビデオ呼管理クライアントを送信する前記動作と
を実行するように構成された少なくとも１つのプロセッサ。
【請求項３３】
無線装置に対するビデオ呼を管理するための装置であって、
無線装置にビデオ呼管理クライアントを送信するという要求を受信するための手段であって、前記ビデオ呼管理クライアントは所定のフィルタリングパラメータに基づいてビデオ呼に対して所定の動作をとるように作動可能である、要求を受信するための手段と、
前記要求を検証するための手段と、
前記無線装置に前記ビデオ呼管理クライアントを送信するための手段と
を備える装置。
【請求項３４】
無線装置への不適切なビデオ呼を管理するための装置であって、
コンピュータプラットフォームを備え、前記コンピュータプラットフォームは、
前記無線装置からの要求を受信するように作動可能な通信モジュールであって、前記要求は前記無線装置に関連した装置識別番号を備える、通信モジュールと、
認可された装置識別番号を備える認可された装置データベースと、
ビデオ呼管理サーバ論理およびビデオ呼管理クライアントを有するビデオ呼管理サーバモジュールであって、前記ビデオ呼管理サーバ論理は、前記要求に基づいて前記装置識別番号と前記認可された装置識別番号との間の一致を決定し、前記ビデオ呼管理クライアントを前記無線装置に送信するように作動可能である、ビデオ呼管理サーバモジュールと
を含む、装置。
【発明の詳細な説明】
【技術分野】
【０００１】
説明される実施形態は、概して無線通信装置およびコンピュータネットワークに関し、より具体的には無線装置上のビデオ呼を管理するための装置および方法に関する。
【背景技術】
【０００２】
無線ネットワーキングは、銅線または光ケーブルなどの直接の電気的接続なしに１つまたは複数の無線装置を他のコンピュータ装置に接続する。無線装置は、無線または部分的に無線コンピュータネットワークを介してデータ（典型的にはパケット形式で）を通信し、装置がデータパケットを送受信することができるようにネットワーク上で「データ」または「通信」チャネルを開く。無線装置は、それらの設計および特定のプロトコルまたは構成によりデータを使用し生成するように個々におよび協同して作動するプログラムおよびハードウェア構成要素などの無線装置リソースを多くの場合有する。
【０００３】
無線装置は、コンピューティング能力および入力／出力周辺機器を増大して製造されており、現在ではビデオ会議などのサービスを含んで、リアルタイムではないビデオサービスと共にリアルタイム用ビデオディスプレイならびに双方向の移動ビデオ電話用内蔵カメラなどの機能を含む。いくつかの実施形態では、これらの「高性能の」装置はオープンな移動電話の規格に基づいている。
【０００４】
しかし、場合によっては無線装置ユーザがビデオ会議に参加したくない可能性がある。さらに、無線サービスおよび機能が無線装置ユーザとの直接接触を容易にするので、無線装置は、無認可の呼、非請求の呼、多くの場合には不適切な呼にとっての標的になっている。例えば、一般的な形の無線装置の接触は、音声サービスおよび／またはテキストサービスを用いて提供されることができる。同様に、ビデオ電話は、無認可の通信、非請求の通信、および／または不適切な通信の発信者に関して新しい豊富な領域を提供する。無線装置上のビデオ会議の比較的公的な性質によりユーザは、比較的私的である音声呼と比較されるときにこの種の呼を受け入れることについてより多くの制約を要求することができる。
【０００５】
移動ビデオ電話がより一般的になるにつれて、ビデオ呼を管理する問題が、音声だけの領域内で以前に必要とされなかった解決策を必要とする可能性がある。例えば、ユーザは、標準的ビデオ電話のアプリケーションにより生放送のもしくはストリームされたわいせつなまたは不快なビデオコンテンツを送信することができる。
【０００６】
いくつかの現在使用できるプッシュツートーク（push-to-talk）およびインスタントメッセンジャ技術はブラックリスト能力を含む。しかし、ほとんどの通信方法および装置は、通信の受信を管理するためのより高度な機構を有せず、それらはビデオ伝送によって引き起こされる固有の問題にも対処しない。
【０００７】
したがって、不適切なビデオ呼を管理する装置および方法を提供することは有利であろう。この種の装置および方法は、無線装置のユーザにビデオ呼を受信することに関する時間および場所を制御することを可能にし、ブラックリストに載せるための機構および他の方法で望ましくないビデオ呼を抑制するための機構を提供することができる。
【発明の開示】
【発明の概要】
【０００８】
説明される実施形態は、無線装置上のビデオ呼の受信および処理を管理するように作動可能な装置、方法、コンピュータ可読メディアおよびプロセッサを備える。
【０００９】
無線通信装置上のビデオ呼を管理するための方法の１つの態様は、着信するビデオ呼を受信すること、所定のフィルタリングパラメータに基づいてビデオ呼をフィルタリングすること、およびフィルタリングすることに基づいた所定のビデオ呼の処理オプションにより着信するビデオ呼を処理することを備えることができる。関係した態様では、実行されるときに上述の動作を行うようにコンピュータ装置に指示するコンピュータプログラムが、コンピュータ可読メディア内に存在することができる。他の関係した態様では、少なくとも１つのプロセッサが上述の動作を行うように構成されることができる。
【００１０】
他の態様は、無線装置によって受信されるビデオ呼を管理するための装置を含む。その装置は、着信するビデオ呼を受信するための手段、所定のフィルタリングパラメータに基づいてビデオ呼をフィルタリングするための手段、および所定のフィルタリングパラメータに基づいた所定のビデオ呼の処理オプションにより着信するビデオ呼を処理するための手段を備える。
【００１１】
他の態様ではビデオ呼を管理するための装置は、ビデオ呼を受信するように構成された通信モジュールを有するコンピュータプラットフォームを備える。その装置は、コンピュータプラットフォーム上に配置されたビデオクライアントも備え、ここでビデオクライアントは、通信モジュールから転送されるビデオ呼を受信するように構成されている。さらに、その装置は、コンピュータプラットフォーム上にビデオ呼管理クライアントを備え、ここでビデオ呼管理クライアントは、フィルタリングパラメータおよび対応するビデオ呼の処理オプションを有する。さらに、ビデオ呼管理クライアントは、フィルタリングパラメータをビデオ呼に適用し、ビデオ呼の処理オプションによりビデオ呼を処理するように作動可能な論理をさらに備える。
【００１２】
他の態様では無線装置に対するビデオ呼を管理するための方法が、無線装置にビデオ呼管理クライアントを送信するという要求を受信することを備え、ここで所定のフィルタリングパラメータに基づいてビデオ呼に対して所定の動作をとるように作動可能なビデオ呼管理クライアント。その方法は要求を検証することをさらに備える。さらに、その方法は、検証することに基づいて無線装置にビデオ呼管理クライアントを送信することを備える。関係した態様では、実行されるときに上述の動作を行うようにコンピュータ装置に指示するコンピュータプログラムが、コンピュータ可読メディア内に存在していることができる。他の関係した態様では、少なくとも１つのプロセッサが上述の動作を行うように構成されることができる。
【００１３】
開示された実施形態は、開示された実施形態を限定することなく示すために提供される添付図面と共に以下で説明され、同様の符号は同様のエレメントを示す。
【詳細な説明】
【００１４】
図１を参照すると、ビデオ呼管理システム１００は、ネットワーク１０６に接続された他のビデオ可能装置とのビデオ呼１０８を開始し受信するように作動できる無線装置１０２を備える。ビデオ呼１０８は、各装置によってキャプチャされ、各装置から送信される、および／または受信され、元の動画および対応する音声に再処理される動画および対応する音声情報を表す音声データ１０９および画像データ１１１の伝送を備える。さらに、この種の他のビデオ可能装置は、少なくともリアルタイムでないビデオを送信することができるビデオサーバ１１６、および少なくとも生放送のビデオを送信することができるビデオ装置１１０、および／または両方のある組合せを含むことができる。さらに、メッセージサーバ１１４が、無線装置１０２のユーザが下記で議論されるように所定のパラメータに基づいて自動的に生じることができるビデオ呼１０８を転送するおよび／または格納することができるために提供されることができる。ネットワーク１０６は、無線装置１０２とサーバ１１６および装置１１０などの他の任意のビデオ可能装置とを相互接続するための無線インターフェース１０４を含む。システム１００は、ビデオ呼管理クライアント１５４を無線装置１０２にダウンロードするように作動可能なアプリケーションダウンロードサーバ１１８を含むこともできる。
【００１５】
ビデオ呼管理クライアント１５４は、ビデオ呼の発信者、時間、および無線装置の場所などの所定のフィルタリングパラメータに基づいて着信するビデオ呼１０８を管理するように構成されることができる。さらに、ビデオ呼管理クライアント１５４は、所与のビデオ呼を処理する方法を定義するフィルタリングパラメータに対応されることができる所定のビデオ呼の処理オプションをさらに含むことができる。例えば、所定のビデオ呼の処理オプションは、ビデオ呼をメールボックスに送信すること、音声データを可能にしている間に画像データをブロックすること、画像データを可能にしている間に音声データをブロックすること、所定の応答を送信すること、および二重ビデオ伝送を確立するようにビデオ呼を一般に処理させることを含むことができる。これらの態様は下記で詳細に議論される。
【００１６】
無線装置１０２は、ビデオ電話のために構成され、ビデオ呼１０８を受信するおよび／または送信することができる任意の種類のコンピュータ化された装置を含むことができる。無線装置１０２は、限定されないが携帯電話、携帯情報端末、カメラおよびマイクロホンを備えるポータブルコンピュータ、無線通信ポータルを有しネットワークまたはインターネットへの有線接続を有することもできる個別のコンピュータプラットフォームさえも含むことができる。無線装置は、遠隔センサ、診断ツール、およびデータリレーなど、そのエンドユーザを有するのではなく無線ネットワーク１０６を介してデータを単に通信する遠隔スレーブまたは他の装置であってもよい。
【００１７】
図２を参照すると、無線装置１０２は、ユーザから入力を受信するための入力機構１２２およびユーザに情報を提供するための出力機構１２４と相互接続されるコンピュータプラットフォーム１２０を備えることができ、ここで両方の機構は、音声および画像情報をそれぞれ受信し提供することを可能にすることができる。例えば、入力機構１２２は、限定されないがマイクロホン、カメラ、キーボード、マウス、タッチスクリーンディスプレイおよび音声認識モジュールなどの機構を含むことができる。出力機構１２４は、限定されないが音声スピーカ、ディスプレイ、および触覚フィードバック機構を含むことができる。
【００１８】
コンピュータプラットフォーム１２０は、ハードウェア、コンテンツ、ソフトウェア、およびその組合せで具現化される通信モジュール１３６をさらに含むことができ、通信モジュール１３６は、受信する／送信する、他の方法で無線装置１０２内の構成要素間で通信を可能にする、ならびに無線装置１０２とネットワーク１０６上の他の装置との間で通信を可能にするように作動可能である。
【００１９】
さらに、コンピュータプラットフォーム１２０は、特定用途向け集積回路（「ＡＳＩＣ」）、もしくは他のチップセット、プロセッサ、論理回路、または他のデータ処理装置であってよい処理エンジン１３２を含むことができる。処理エンジン１３２は、任意の常駐プログラムと連動することができるアプリケーションプログラミングインターフェース（「ＡＰＩ」）層１３０を実行するように作動可能である。
【００２０】
１つの非限定の態様では、ＡＰＩ１３０は各移動体装置上で実行するランタイム環境である。１つのこの種のランタイム環境は、Ｓａｎ  Ｄｉｅｇｏ，ＣａｌｉｆｏｒｎｉａのＱｕａｌｃｏｍｍ，Ｉｎｃ．によって開発されたＢｉｎａｒｙ  Ｒｕｎｔｉｍｅ  Ｅｎｖｉｒｏｎｍｅｎｔ  ｆｏｒ  Ｗｉｒｅｌｅｓｓ（登録商標）（ＢＲＥＷ（登録商標））ソフトウェアである。例えば、無線コンピューティング装置上でアプリケーションの実行を制御するように作動する他のランタイム環境が使用されることができる。
【００２１】
依然として図２を参照すると、処理エンジン１３２は、選択された機能的能力を無線装置１０２に提供する処理サブシステム１３４のうちの１つまたは組合せを含むことができる。携帯電話の態様では、例えば、処理サブシステム１３４は、限定されないが音、不揮発性メモリ、時計、場所決定、ファイルシステム、送信、受信、探索者、層１、層２、層３、主制御、遠隔手順、送受話器、電力管理、診断、ディジタル信号プロセッサ、ボコーダ、メッセージング、呼マネジャ、ブルートゥース（登録商標）システム、ブルートゥース（登録商標）ＬＰＯＳ、位置決定、位置エンジン、ユーザインターフェース、スリープ、データサービス、安全性、認証、ＵＳＩＭ／ＳＩＭ、音声サービス、グラフィック、ＵＳＢ、ＭＰＥＧ、ＧＰＲＳなどのマルチメディアなどを含むことができる。
【００２２】
非限定的な処理サブシステム１３４は、任意のサブシステム構成要素（例えば、コンピュータプラットフォーム１２０上で実行するアプリケーションと交信する衛星受話器）を含むことができる。例えば、処理サブシステム１３４は、メモリ常駐クライアントアプリケーションの代わりにＡＰＩ１３０からデータ読取りおよびデータ書込みを受信する任意のサブシステム構成要素を含むことができる。
【００２３】
コンピュータプラットフォーム１２０は、リードオンリおよび／またはランダムアクセスメモリ（ＲＡＭおよびＲＯＭ）、ＥＰＲＯＭ、ＥＥＰＲＯＭ、フラッシュカード、またはコンピュータプラットフォームに共通な任意のメモリなどの揮発性および不揮発性メモリを備えることができるメモリ１２８を含むこともできる。さらに、メモリ１２８は、１つまたは複数のフラッシュメモリセルを含むことができる、あるいは磁気メディア、光学メディア、テープ、またはソフトもしくはハードディスクなどの任意の二次のまたは三次の記憶装置を備えることができる。
【００２４】
メモリ１２８は、基本的な携帯電話のコアアプリケーション１５０、ならびにより高度なユーザアプリケーション（限定されないが少なくとも１つのビデオクライアント１５２、ビデオ呼管理クライアント１５４、ならびにショートメッセージサービス（「ＳＭＳ」）およびマルチメディアメッセージングサービス（「ＭＭＳ」）などのメッセージングクライアント１５６を含む）を格納するように作動可能であってよい。
【００２５】
ビデオクライアント１５２は、ビデオ呼（例えば、ビデオ会議を含むリアルタイムではないおよび／またはリアルタイムのサービス）を送信するおよび／または受信することができる任意のクライアントアプリケーションを含むことができる。具体的には、ビデオクライアント１５２は、カメラを用いて画像を記録し、マイクロホンを用いて音を記録することなどによって音声データ１０９および画像データ１１１をキャプチャする、および／またはビデオ呼１０８を受信し、ディスプレイ上にビデオ画像を表示し、スピーカにより音を提供することなどによって音声データ１０９および画像データ１１１を処理するように作動可能であってよい。
【００２６】
図３はビデオ呼管理クライアント１５４のブロック図であり、いくつかの実施形態ではビデオ呼管理クライアント１５４は、ビデオ呼管理クライアント１５４がない場合にはビデオクライアント１５２に提供され、出力機構１２４（図２）を介してユーザに出力されるであろう、通信モジュール１３６（図２）によって受信されるビデオ呼１０８（図１）を傍受し、自動的に管理する／伝えるように作動可能なビデオ呼管理論理１６０によって制御される。ビデオ呼管理クライアント１５４は、ユーザが着信するビデオ呼１０８を手動で管理する／伝えることができるように構成されることもできる。
【００２７】
ビデオ呼管理クライアント１５４は、無線装置１０２上にインストールされることができ（例えば、製造時に、アプリケーションダウンロードサーバ１１８からダウンロードされて）、接続されたコンピュータ装置からインストールされることができる。
【００２８】
クライアントユーザインターフェース（「ＵＩ」）１７０によってユーザが、ユーザの介入なしに、場合によってはユーザ通知なしにビデオ呼を自動的に伝えるためにビデオ呼管理論理１６０によって使用される１つまたは複数のビデオ呼の処理オプション１７８のうちの対応する１つを用いて１つまたは複数のフィルタリングパラメータ１６２を構成することができてよい。クライアントＵＩ１７０は、例えば、キーパッド上でのキーストロークまたは入力機構１２２上での他のユーザ起動の動作によってビデオ呼の処理中の拒否を可能にするように作動可能であってもよい。フィルタリングパラメータ１６２および呼処理オプション１７８は、無線装置のユーザ、無線装置のプロバイダ、無線ネットワークサービスのプロバイダ、および／またはビデオ呼管理クライアントのプロバイダなどによって構成可能であってよい。
【００２９】
少なくとも１つの呼処理オプション１７８と組み合わせて少なくとも１つのフィルタリングパラメータ１６２は、所与の着信するビデオ呼１０８に関連した任意の所定のパラメータおよびビデオ呼を処理する方法を伝えるまたは示す対応する所定のオプションをそれぞれ含むことができる。例えば、フィルタリングパラメータ１６２は、限定されないが、所与の地理的位置を備える所定の場所パラメータ１６４のそれぞれのうちの１つまたは複数、時間、時間の範囲および／または日付を備える所定の時間パラメータ１６６、および発信者識別番号（ＩＤ）１７６を備える所定のビデオ呼発信者パラメータ１６８を含むことができる。
【００３０】
同様に、例えば、呼処理オプション１７８は、限定されないが下記を含んで１つまたは複数の所定の動作１８１を含む。すなわち、
所与の着信するビデオ呼１０８が、所与の着信するビデオ呼の存在をユーザに通知するものである可聴音、可視光、および／または触覚フィードバックなどの通知する出力を無線装置１０２に生成させる方法で処理されることができること、およびユーザがビデオ呼に「返信」すると所与のビデオ呼１０８に関連した音声データ１０９と画像データ１１１の両方を提供する二重ビデオ伝送の確立を備える「ビデオ呼を受け入れる」動作。
【００３１】
ユーザに着信するビデオ呼を通知させることができるが、呼に返信すると呼に関連した音声データ１０９（図１）だけを提供する「音声だけを受け入れる」動作。
【００３２】
ユーザに着信するビデオ呼を通知されることができるが、呼に返信すると呼に関連した画像データ１１１（図１）だけを提供する「画像だけを受け入れる」動作。
【００３３】
複数の所定のメールボックスメッセージのうちの１つを有する音声および／または画像メールボックスに所与の着信するビデオ呼１０８を自動的に転送する「拒否しメールボックスに転送する」動作。メールボックス１８３（図１）およびメールボックスメッセージ１８５は、メッセージサーバ１１４（図１）などの無線ネットワーク１０６を介した遠隔場所に配置されることができる。メールボックス１８３およびメールボックス１８５は、無線装置１０２上で局部的に存在することもできる。さらに、所定のメールボックスメッセージ１８５は、標準的メッセージおよび１つまたは複数の追加メッセージを含むことができる複数の所定の音声および／または画像メッセージから選択されることができる。各メッセージに関連したメッセージ識別子によって特定のメッセージが、処理オプション１７８のうちの選択された処理オプション、および／または対応するフィルタパラメータ１６２によって選択されることを可能にすることができる。
【００３４】
「拒否しメールボックスに転送する」動作に関して上述された動作を提供するが、「ビデオ呼を受け入れる」動作１８１に関連して上述された通知する出力を生成することによって、および／または拒否されたビデオ呼のログ１７７内の関連のビデオ呼情報１８７を格納することによってなど、所与の着信する呼１０８を無線装置１０２のユーザに通知することをさらに含む「拒否しユーザに通知する」動作で、この場合にはユーザに通知する出力を認識するようになることを可能にし、ユーザにこのオプションを手動で無効にしビデオ呼を受け入れるオプションを与えるために所与の着信するビデオ呼の拒否に関連した所定の遅延があってよい。
【００３５】
複数の所定の音声、画像および／またはテキストメッセージから選択されることができ、標準的メッセージおよび例えば、対応するフィルタパラメータ１６２に基づいて選択されることができる１つまたは複数の追加のメッセージを含むことができる所定のテキスト、音声および／または画像メッセージなどの複数の所定のフィードバックメッセージ１８９のうちの所定の１つを発信者に送信することによって着信するビデオ呼１０８に自動的に応答することもできる「拒否しフィードバックを送信する」動作。
【００３６】
ビデオ呼を確立しようとする発信者に話中信号のインジケータを提供する「ブロックする」動作。
【００３７】
１つまたは複数のフィルタリングパラメータ１６２は、無線装置１０２上に格納され、ビデオ呼管理手順を確立するために対応するビデオ呼の処理オプション１７８を参照されることができる。
【００３８】
例えば、場所パラメータ１６４は、例えば、無線装置１０２のユーザによって無線装置１０２内に入力されることができ、無線装置１０２の現在の地理的場所１７２と所与の場所パラメータ１６４との比較に基づいてビデオ呼管理クライアント１５４に着信するビデオ呼１０８を受け入れるまたは拒否することを可能にする。例えば、ビデオ呼管理クライアント１５４は、下記で議論されるように処理サブシステム１３４および／またはメモリ１２８などのコンピュータプラットフォーム１２０から、無線ネットワーク１０６から、および／または遠隔ベースの場所決定エンティティから現在の地理的場所１７２を取り出すことができる。現在の地理的場所１７２は、限定されないが所定の間隔で自動的に更新すること、通信チャネルを確立することなどの所定のイベントに基づいて更新すること、呼を受信すると更新すること、および無線装置１０２のユーザからの入力の受信に基づいて更新することを含んで任意の方法で更新されることができる。
【００３９】
現在の地理的場所１７２は、無線装置１０２上に存在する場所決定モジュール１４０（図１）の作動によって決定されることができる。場所決定モジュール１４０は、コンピュータプラットフォーム１２０内で具現化されるおよび／またはコンピュータプラットフォーム１２０によって作動できるハードウェア装置、ソフトウェアアプリケーション、実行可能な命令、ファームウェア、データおよびその組合せのうちの少なくとも１つを含むことができる。さらに、場所決定モジュール１４０は、限定されないが衛星ベースのシステム、ネットワークベースのシステム、およびその組合せなどの様々な位置決定システムを含む。例えば、場所決定モジュール１４０は、全地球測位システム（ＧＰＳ）、Ｑｕａｌｃｏｍｍ，Ｉｎｃ．（Ｓａｎ  Ｄｉｅｇｏ，Ｃａｌｉｆｏｒｎｉａ）から入手できるＱＰｏｉｎｔ（商標）  Ｐｏｓｉｔｉｏｎｉｎｇ  ＳｏｆｔｗａｒｅおよびｇｐｓＯｎｅ（登録商標）ハイブリッド支援型ＧＰＳ無線場所技術を含む支援型ＧＰＳ（Ａ−ＧＰＳ）システム、ならびにＣｅｌｌ−ＩＤ、Ｅｎｈａｎｃｅｄ  Ｏｂｓｅｒｖｅｄ  Ｔｉｍｅ  Ｄｉｆｆｅｒｅｎｃｅ（Ｅ−ＯＴＤ）、およびＯｂｓｅｒｖｅｄ  Ｔｉｍｅｄ  Ｄｉｆｆｅｒｅｎｃｅ  ｏｆ  Ａｒｒｉｖａｌ（ＯＴＤＯＡ）などの位置ベースシステム（ＬＢＳ）などのシステムを備えることができる。いくつかの実施形態では場所情報は、無線装置１０２と無線ネットワーク１０６との間のオープンな通信接続１０４を介して、場合によってはオープンな接続を介する継続中の音声もしくはデータ呼上に「肩車（piggybacking）」して受信されることができる。
【００４０】
ユーザは、１つまたは複数の場所パラメータ１６４を手動で設定するために入力機構１２２などを介して座標を入力することができる、および／または現在の地理的場所１７２によって定義される座標を入力することができる。さらに、場所パラメータ１６４は、短いテキスト句を備えることもでき、それによってユーザは、入力機構１２２などを介して場所パラメータ１６４に記述的ラベル（すなわち、「ＯＦＦＩＣＥ」）を付けることができる。場所パラメータ１６４は、今後の使用のために表内に格納されることができ、それによって１組の場所パラメータ１６４を構築するために使いやすいメニューを提供することができる。
【００４１】
例えば、ビデオ呼管理論理１６０を使用することによって、ユーザが、下記のように場所パラメータ１６４および関連の呼処理オプション１７８を設定することができるので、ユーザは、所与の地理的場所を入力し、場所決定モジュール１４０の実行にもかかわらず対応する座標を自動的に決定することができ、次いで論理１６０によってユーザは、この場所を指定し、場所パラメータ１６４としてこの場所を入力することが可能になることができ、さらに、次いで論理１６０によってユーザは、所定の処理オプション１７８を選択し、または新しい処理オプションを生成し、所与のオプションを所与の場所に関連付けることが可能になることができる。いくつかの態様ではユーザは、円などの領域を所与の場所に関連付けるために半径の長さなどの距離を入力することができ、その結果、所与の領域内で受信される任意のビデオ呼が所定のビデオ呼の処理オプション１７８により処理される。
【００４２】
さらに、例えばいくつかの実施形態では、１つまたは複数の時間パラメータ１６６が、１つまたは複数の所定の時間および／または１つまたは複数の時間の所定の範囲を識別し、それによってユーザは、時間パラメータ１６６に基づいて所与の現在の時間１７４で受信された着信するビデオ呼１０８を受け入れるまたは拒否することができる。例えば、ビデオ呼管理論理１６０は、ビデオ呼を拒否するか、それとも可能にするかを決定するために時間パラメータ１６６を更新可能な現在の時間１７４と比較することができる。クライアントＵＩ１７０によりユーザは、限定されないが「から〜まで」形式、ならびに２４時間の選択可能な部分ならびに日特定の入力（例えば、様々な時間パラメータが週末ではなく平日に入力されることができ、様々な時間が祝日に入力されることができるなど）を特徴とするメニューシステムを含む様々な形式で時間パラメータ１６６を入力することが可能になることができる。
【００４３】
さらにユーザは、フィルタリングパラメータ１６２への新しい発信者パラメータ１６８の入力を構成するために手動でブロックされたビデオ呼からまたは返信されたビデオ呼から発信者データ１１３をキャプチャすることができる。入力機構１２２への入力は、所定のビデオ呼の発信者から今後のビデオ呼の管理を迅速に可能にすることができる。他の代替形態ではいくつかの発信者パラメータ１６８は、いくつかの所定のビデオ呼の処理オプション１７８に自動的に関連付けられることができる。例えば、ユーザは、「連絡先」リスト内でまたは「電話帳」内で見出される発信者データ１１３をビデオ呼を「受け入れる」動作と自動的に関連付けるようにビデオ呼管理クライアント１５４を構成することができる。
【００４４】
いくつかの実施形態では、発信者パラメータ１６８によりユーザは、着信するビデオ呼に関連した発信者データ１１３と所定の発信者ＩＤ１７６との間の一致に基づいて着信するビデオ呼１０８を受け入れるまたは拒否することが可能になることができる。例えば、発信者パラメータ１６８は、事前に定義された相手からの呼を受信することを禁止するためのビデオ呼を「ブロックする」動作、または事前に定義された相手からの呼を可能にするためのビデオ呼を「受け入れる」動作などの所定の動作１８１に関連した１つまたは複数の発信者ＩＤ群１７６を備えることができる。さらに、発信者パラメータ１６８は、「ブロックする」動作に関連したそれらの事前に定義された発信者ＩＤ以外のすべてからのビデオ呼を「受け入れる」、または「受け入れる」動作に関連したそれらの事前に定義された発信者ＩＤ以外のすべてからの呼を「ブロックする」ように構成されることができることに留意されたい。さらに、発信者パラメータ１６８の形式は、限定されないがＵＲＬ、電話番号、ＭＡＣアドレス、ビデオ呼の起動者の電子メールアドレスを含んで発信者データ１１３によって定義される任意のビデオ発信者のアドレス形式に対応するために自由度があってよい。したがって、ビデオ呼管理論理１６０は、装置の種類を決定するためにその入力を解析し検証し、その入力を処理することができる。さらに、いくつかの態様では発信者パラメータ１６８は、完全に構成可能なビデオ呼管理能力を可能にするために場所パラメータ１６４および時間パラメータ１６６と共に作動することができる。
【００４５】
ビデオ呼管理オプション１７８は、着信するビデオ呼１０８に対する任意の数の所定のおよび／またはユーザ定義の機能的応答をユーザに提供することができる。
【００４６】
上述のようにビデオ呼管理論理１６０は、ユーザによって後で見るために拒否されたビデオ呼に関するビデオ呼の情報１８７を呼ログ１７７の中に入力するように作動可能であってよい。呼ログ１７７は、クライアントＵＩ１７０の制御下で入力機構１２２（図２）の作動によって操作されることができ、ログ入力は適切なキーストロークまたは他のユーザ動作によって消去されることができる。さらに同様の方法で、ユーザは呼ログ１７７内の入力の処置によりフィルタリングパラメータ１６２を更新することができる。例えば、１つの態様ではユーザは、拒否されたビデオ呼からの所与の発信者ＩＤを所与の発信者パラメータ１６８内に追加し、所与の発信者ＩＤをビデオ呼を「受け入れる」動作と関連付けることができる。
【００４７】
さらに、すべてのユーザが構成可能なフィルタリングパラメータ１６２およびビデオ呼管理オプション１７８は、大法廷で消去されるまたはクライアントＵＩ１７０の作動によって選択的に除去されることができる。さらに、ビデオ呼管理クライアント１５４は、新しい形式および機能に対応する、および／または任意のパラメータ／設定を変更するためにオンラインで更新されることができる。
【００４８】
図１および図４を参照すると、アプリケーションダウンロードサーバ１１８は、ビデオ呼管理サーバ論理２４６の制御下で、ネットワーク１０６を介して無線装置１０２にビデオ呼管理クライアント１５４またはそれへの更新をダウンロードするように作動することができる。アプリケーションダウンロードサーバ１１８は、コンピュータプラットフォーム２３０、メモリ２３２、プロセッサ２３８、および通信モジュール２３６を備えることができる。メモリ２３２は、ビデオ呼管理サーバ論理２４６およびビデオ呼管理クライアント１５４の最新版もしくはそれへの更新を含むビデオ呼管理サーバモジュール２４４をさらに備えることができる。ビデオ呼管理サーバモジュール２４４は、本明細書で説明される機能を実行するように作動可能なハードウェア、ソフトウェア、ファームウェア、実行可能な命令およびデータのうちの１つまたは組合せを含むことができる。さらに、ビデオ呼管理サーバモジュール２４４は、ビデオ呼管理クライアント１５４を自動的に更新するように作動可能であってよい。
【００４９】
さらに、ビデオ呼管理サーバ論理２４６は、ダウンロードを開始する前にダウンロードに関する要求を検証することができる。例えば、認可された装置のデータベース２４０が参照されることができ、無線装置１０２に関連した装置識別番号２４７（図２）が、認可されていない装置へのビデオ呼管理クライアント１５４の認可されないダウンロードを防止するためにデータベース２４０内の認可された装置識別番号２４９と比較されることができる。
【００５０】
さらに、アプリケーションダウンロードサーバ１１８は、ビデオ呼管理クライアント１５４の構成要素をダウンロードするために無線装置１０２からの要求を受信するように作動可能な任意の種類のサーバ、パーソナルコンピュータ、ミニコンピュータ、メインフレームコンピュータ、または特定用途のもしくは汎用のコンピューティング装置のいずれかの任意のコンピューティング装置のうちの少なくとも１つをさらに備えることができる。
【００５１】
ネットワーク１０６は、無線装置１０２とネットワーク１０６に接続された他の任意の装置との間で無線通信を可能にするために少なくとも部分的に操作可能である任意の通信網を含む。さらに、ネットワーク１０６は、ネットワークを形成するすべてのネットワーク構成要素およびすべての接続された装置を含むことができる。例えば、ネットワーク１０６は、携帯電話網、地上電話網、Ｆｏｒｗａｒｄ  Ｌｉｎｋ  Ｏｎｌｙ（ＦＬＯ）ネットワークなどのマルチキャストネットワーク、衛星放送用のＤＶＢ−Ｓ、ケーブル用のＤＶＢ−Ｃ、地上波テレビ用のＤＶＢ−Ｔ、ハンドヘルドのための地上波テレビ用のＤＶＢ−Ｈなどのディジタルビデオブロードキャスティング（ＤＶＢ）ネットワーク、地上電話網、衛星電話網、赤外線データ協会（「ＩｒＤＡ」）ベースのネットワークなどの赤外線ネットワーク、短距離無線網、ブルートゥース（登録商標）技術ネットワーク、ＺｉｇＢｅｅ（登録商標）プロトコルネットワーク、超広帯域（「ＵＷＢ」）プロトコルネットワーク、家庭内無線周波数（「ＨｏｍｅＲＦ」）ネットワーク、共用無線アクセスプロトコル（「ＳＷＡＰ」）ネットワーク、シグナリングシステム７（「ＳＳ７」）ネットワーク、無線イーサネット（登録商標）製品互換性推進協議会（「ＷＥＣＡ」）ネットワーク、無線フィディリティアライアンス（「Ｗｉ−Ｆｉ  Ａｌｌｉａｎｃｅ」）ネットワーク、および８０２．１１ネットワークなどの広帯域ネットワーク、公衆交換電話網、インターネットなどの公衆異種通信網、専用通信網、ならびに陸上移動無線ネットワークのうちの少なくとも１つまたは任意の組合せを含むことができる。
【００５２】
電話網の適切な例は、符号分割多元接続（「ＣＤＭＡ」）、広帯域符号分割多元接続（「ＷＣＤＭＡ」）、ユニバーサル移動体通信システム（「ＵＭＴＳ」）、高度移動電話サービス（「ＡＭＰＳ」）、時分割多元接続（「ＴＤＭＡ」）、周波数分割多元接続（「ＦＤＭＡ」）、直交周波数分割多元接続（「ＯＦＤＭＡ」）、移動体通信用広域システム（「ＧＳＭ」）、単一搬送波（「１Ｘ」）無線伝送技術（「ＲＴＴ」）、ｅｖｏｌｕｔｉｏｎ  ｄａｔａ  ｏｎｌｙ（「ＥＶ−ＤＯ」）技術、汎用パケット無線サービス（「ＧＰＲＳ」）、強化データＧＳＭ環境（「ＥＤＧＥ」）、高速ダウンリンクデータパケット接続（「ＨＳＰＤＡ」）、アナログディジタル衛星システムならびに無線通信網およびデータ通信網のうちの少なくとも１つで使用されることができる他の任意の技術／プロトコルなどのアナログおよびディジタルネットワーク／技術のうちの少なくとも１つまたは任意の組合せを含む。
【００５３】
図５は、非限定の携帯電話システム１８０の１つの態様を示し、少なくとも１つの無線装置１０２および移動電話システム１９０を備える。移動電話システム１９０は、ネットワークサブシステム（「ＮＳＳ」）１８４に接続された基地局サブシステム（「ＢＳＳ」）１８６を備えることができる。ＢＳＳ１８６は、基地局コントローラ（「ＢＳＣ」）１９２に接続された複数の基地トランシーバ局（「ＢＴＳ」）１８８をさらに備えることができる。インターフェース１９８は、複数のＢＳＳ１９２と移動体交換局（「ＭＳＣ」）１９４との間で実現されることができる。音声メールサーバ１１２および場所ベースのサーバ１１４を含むアプリケーションサーバは、他のネットワーク１９６を介してＭＳＣ１９４に接続されることができる。場所ベースのサーバ１１４は、ネットワーク装置上のユーザに他の人、手段、リソース、サービスまたは他のネットワーク装置を見出すことを可能にするサービスを展開するために使用されることができる。場所ベースのサーバは、ユーザにユーザ自身の場所を識別することを可能にすることのみならず他の人にユーザを見出すことも可能にする。
【００５４】
最終的にはＢＴＳ１８８は、ショートメッセージングサービス（「ＳＭＳ」）、マルチメディアメッセージングシステム（「ＭＭＳ」）、および他の無線の方法などの無線インターフェース１０４を介して無線装置１０２にハンドオーバ、認証、承認、場所の更新などのメッセージを無線で同報通信する。
【００５５】
移動体装置の場所に関する要求は、遠隔装置（すなわち、救急隊員または医療関係者）によってまたは移動体装置自体上で局部的のいずれかで生成されることができる。局部的に生成された場所の要求は、ユーザの要求またはアプリケーション起動の要求であってよい。
【００５６】
場所決定の方法は、独立型モードおよび支援型モードを含み、Ｑｕａｌｃｏｍｍ，Ｉｎｃ．（Ｓａｎ  Ｄｉｅｇｏ，Ｃａｌｉｆｏｒｎｉａ）から入手できるＱＰｏｉｎｔ（商標）Ｐｏｓｉｔｉｏｎｉｎｇ  ＳｏｆｔｗａｒｅおよびｇｐｓＯｎｅ（登録商標）位置場所技術、Ｃｅｌｌ−ＩＤ、Ｅｎｈａｎｃｅｄ  Ｏｂｓｅｒｖｅｄ  Ｔｉｍｅ  Ｄｉｆｆｅｒｅｎｃｅ（Ｅ−ＯＴＤ）、Ｏｂｓｅｒｖｅｄ  Ｔｉｍｅｄ  Ｄｉｆｆｅｒｅｎｃｅ  ｏｆ  Ａｒｒｉｖａｌ（ＯＴＤＯＡ）、無線支援型ＧＰＳ（「Ａ−ＧＰＳ」）などの技術を含むことができる。独立型ＧＰＳとＡ−ＧＰＳの両方では、位置情報は衛星システム２０６から集められる。
【００５７】
少なくとも３つの衛星２０６からの距離を正確に測定することによって、ＧＰＳ受話器などの場所決定モジュール１４０は、地球上のどこででもその位置を三角測量し、信号２０８が衛星２０６から受話器１４０に伝わるために必要な時間を測定することによって距離を計算することができる。
【００５８】
独立型モードでは位置データは、ネットワーク１８６からの任意の支援データなしに無線装置１０２に直接送信されることができる。あるいは、衛星支援の解決策は、無線装置１０２に無線装置１０２によって受信される衛星情報を結合させ、複数のＢＴＳ１８８から取られた測定値を整理することができる。この結合された情報は、Ａ−ＧＰＳ場所サーバ（「Ａ−ＧＰＳ  ＬＳ」）などの場所サーバ１１４に送信されることができる。次いで場所サーバ１１４は、無線装置１０２の正確な座標を決定し、それらを無線装置１０２に送信して戻すことができる。さらに、場所サーバ１１４は、それが位置情報を集めるためにどの衛星２０６にリッスン（listen）すべきかに関して無線装置１０２に通知するために無線装置１０２によって送信される情報を使用することができる。
【００５９】
携帯電話システム１８０は、単に例示であり、任意のシステムを含むことができ、それによって移動体装置１０２などの遠隔モジュールが、互いの間でおよび／または限定されることなく無線ネットワークキャリアおよび／またはサーバを含んで移動体通信網の構成要素間で無線で音声およびデータを含むパケットを通信する。
【００６０】
図６は、システム１００によるビデオ呼管理クライアント１５４（図３）の１つの態様の流れ図である。ステップ２１０では、その方法がビデオ呼管理モジュールを得ることを含むことができる。例えば、いくつかの態様ではビデオ呼管理クライアント１５４は、無線装置１０２のメモリ内にロードされることができる。開示されたように、ビデオ呼管理クライアント１５４はネットワーク１０６を介してダウンロードされることができる。ステップ２１２では、その方法がフィルタリングパラメータおよび対応するビデオ呼の処理オプションを受信することを含むことができる。例えば、ユーザはフィルタリングパラメータ１６２（図３）および対応するビデオ呼の処理オプション１７８（図３）の適切な設定によってビデオ呼管理クライアント１５４を構成することができる。上記で議論されたように、ネットワークサービスプロバイダおよび／またはアプリケーションプロバイダなどの他のエンティティがビデオクライアント１５２のすべておよび／または部分を構成することができる。
【００６１】
ステップ２１４では、その方法がビデオ呼を受信することをさらに含むことができる。例えば、いくつかの態様ではビデオ呼は、無線装置１０２の通信モジュール１３６（図２）によって受信されることができる。さらに、例えば、方法のこの部分はビデオクライアント１５２が着信するビデオ呼を通知される前にビデオ呼１０８（図１）を傍受することを含むことができる。
【００６２】
ステップ２１６では、その方法が受信されたビデオ呼にフィルタリングパラメータを適用することを含むことができる。例えば、いくつかの態様では、現在の地理的場所１７２（図３）、現在の時間１７４（図３）、および受信されたビデオ呼に関連した発信者データ１１３（図１）のうちの１つまたは複数が、それぞれの場所パラメータ１６４（図４）、時間パラメータ１６６（図１６６）、および発信者ベースのパラメータ１６８（図３）のうちの１つまたは複数に対してフィルタされる／一致されることができる。
【００６３】
ステップ２１８ではその方法が、フィルタリングパラメータが受信されたビデオ呼に適用するかどうかの決定をさらに含むことができる。例えば、方法のこの部分は、何らかの一致が任意のフィルタリングパラメータと受信されたビデオ呼に関連した任意の特性との間に存在するかどうかを決定する。
【００６４】
ステップ２２０ではその方法が、フィルタリングパラメータが適用しない場合にビデオ呼を可能にすることを含むことができる。例えば、ステップ２１６の結果に基づいて、次いで決定が、所定のビデオ呼の処理オプション１７８（図３）が実行されるべきかどうかに関してなされる。フィルタリングパラメータが着信するビデオ呼に適用しない場合、ビデオ呼はビデオクライアント１５２（図１）に転送される。
【００６５】
ステップ２２２ではその方法が、フィルタリングパラメータが受信されたビデオ呼に適用する場合に処理オプションを適用することをさらに含むことができる。例えば、いくつかの態様では、フィルタリングが一致を生成する場合、ビデオ呼１０８（図１）は構成されたビデオ呼の処理オプション１７８（図３）により処理される。さらに、処理は、ユーザによって見ることが可能な呼ログ１７７（図３）内の呼に関する情報をログ（log）することを含むことができる。上述のように処理オプション１７８は、ユーザ選択されるまたは他のエンティティによって事前に定義されることができ、メニュードリブン（menu driven）であってよく、上記で議論されたように所定の動作１８１（図３）を含むことができる。さらに、可聴の／視覚の示度が、無線装置１０２のユーザにフィルタリングされたビデオ呼を通知するために生成され、呼ログ１７７を見るためのオプションを提供することができる。
【００６６】
したがって、ビデオ呼管理クライアント１５４は、完全に構成可能であり、ユーザに様々なフィルタリングパラメータ１６２に基づいてフィルタリングされるビデオ呼に関する様々な処理オプション１７８を設定することを可能にする。
【００６７】
本明細書で開示された実施形態に関連して説明される様々な例示の論理、論理ブロック、モジュール、および回路は、本明細書で説明される機能を実行するために設計される汎用プロセッサ、ディジタル信号プロセッサ（ＤＳＰ）、特定用途向け集積回路（ＡＳＩＣ）、フィールドプログラマブルゲートアレー（ＦＰＧＡ）もしくは他のプログラマブル論理素子、個別ゲートもしくはトランジスタ論理、個別ハードウェア構成要素、またはその任意の組合せを用いて実現されるまたは実行されることができる。汎用プロセッサはマイクロプロセッサであってよいが、代替方法ではプロセッサは、任意の従来のプロセッサ、コントローラ、マイクロコントローラ、または状態マシンであってよい。プロセッサは、コンピューティング装置の組合せ（例えば、ＤＳＰとマイクロプロセッサの組合せ、複数のマイクロプロセッサ、ＤＳＰコアと併せる１つまたは複数のマイクロプロセッサ、または他の任意のこの種の構成）として実現されることもできる。
【００６８】
さらに、本明細書で開示される実施形態に関連して説明される方法またはアルゴリズムのステップは、直接ハードウェアで、プロセッサによって実行されるソフトウェアモジュールで、または２つの組合せで具現化されることができる。ソフトウェアモジュールは、ＲＡＭメモリ、フラッシュメモリ、ＲＯＭメモリ、ＥＰＲＯＭメモリ、ＥＥＰＲＯＭメモリ、レジスタ、ハードディスク、リムーバルディスク、ＣＤ−ＲＯＭ、または当技術分野で知られている他の任意の形の記憶メディア内に存在することができる。例示の記憶メディアは、プロセッサが、記憶メディアから情報を読み取り、記憶メディアに情報を書き込むことができるようにプロセッサに結合される。代替方法では、記憶メディアはプロセッサと一体化されてよい。プロセッサおよび記憶メディアはＡＳＩＣ内に存在することができる。ＡＳＩＣはユーザ端末装置内に存在することができる。代替方法では、プロセッサおよび記憶メディアはユーザ端末装置内の個別の構成要素として存在することができる。
【００６９】
前述の開示は例示の態様および／または実施形態を示すが、様々な変更および修正が、添付の特許請求の範囲によって定義されるように、説明される態様および／または実施形態の範囲から逸脱することなく本明細書でなされることができることに留意されたい。さらに、説明される実施形態のエレメントが単数形で説明されてよいまたは特許請求されてよいが、複数形は、単数形に対する限定が明らかに記載されない限り企図される。さらに、任意の態様および／または実施形態のすべてまたは一部は、他の方法で記載されない限り他の任意の態様および／または実施形態のすべてまたは一部と共に使用されることができる。
【図面の簡単な説明】
【００７０】
【図１】ビデオ呼管理クライアントを含む無線装置を備えるシステムの１つの態様を示す図。
【図２】図１の無線装置の１つの態様を示す図。
【図３】図１のビデオ呼管理クライアントの１つの態様を示す図。
【図４】図１のアプリケーションサーバの１つの態様を示す図。
【図５】図１の構成要素を組み込み、場所決定エレメントをさらに備える携帯電話システムの１つの態様を示す図。
【図６】図１のビデオ呼管理クライアントを使用することなどによってビデオ呼を管理する方法の１つの態様の流れ図を示す図。
【図１】
2009528725.tif 000003
【図２】
2009528725.tif 000004
【図３】
2009528725.tif 000005
【図４】
2009528725.tif 000006
【図５】
2009528725.tif 000007
【図６】
2009528725.tif 000008
【国際調査報告】
2009528725.tif 000009
2009528725.tif 000010
2009528725.tif 000011